(57)【要約】【課題】  本発明ではモデムの取付構造において、モデムの形状によらず、取付金具を用いてモデムを電子装置に取り付け可能とすることを目的とする。【解決手段】  外部の通信回線に電子装置２を接続させるモデム３の取付構造において、  １対の対抗する面を有する板状の取付本体部１１と、１対の対抗する面の各面から突出する弾性の保持部１２と、１対の対抗する面の各面から突出する弾性の抜け止め部１３と、取付本体部１１に設けられる過挿入防止部１４とを備えるモデム取付金具１０を有し、電子装置２に固定されたモデム取付金具１０にモデム３を挿入した状態で外部の通信回線に電子装置２を接続することを特徴とする。【選択図】  図１
2006269929.tif 000002
【特許請求の範囲】
【請求項１】
外部の通信回線に電子装置を接続させる接続装置の取付構造において、
１対の対抗する面を有する板状の取付本体部と、前記１対の対抗する面の各面から突出する弾性の保持部と、前記１対の対抗する面の各面から突出する弾性の抜け止め部と、前記取付本体部に設けられる過挿入防止部とを備える取付部を有し、
電子装置に固定された前記取付部に接続装置を挿入した状態で外部の通信回線に電子装置を接続すること
を特徴とする接続装置の取付構造。
【請求項２】
請求項１に記載される接続装置の取付構造において、
前記接続装置はモデムであることを特徴とする接続装置の取付構造。
【請求項３】
請求項１に記載される接続装置の取付構造において、
前記取付部は板金加工の一体形成であることを特徴とする接続装置の取付構造。
【請求項４】
請求項１に記載される接続装置の取付構造において、  
一端は前記抜け止め部に固定され、多端は前記抜け止め部が形成される前記取付本体部の同一面に形成される前記保持部の内側に突出して形成された連動部材を有することを特徴とする接続装置の取付構造。
【発明の詳細な説明】
【技術分野】
【０００１】
この発明は外部の通信回線に接続される電子装置にデータ伝送用のモデム等の接続装置を取り付けるための接続装置の取付構造に関するものである。
【背景技術】
【０００２】
従来は、例えばブックシェルフ形状の電子装置に通信機能を持たせる場合に、外部の通信回線と電子装置を接続するための接続装置であるモデム（変復調装置）を搭載する必要がある。図６は、モデムを電子装置に搭載する際の従来のモデムの取付構造を示す図である。従来の取付構造は、取付金具１と電子装置２とモデム３とを用いて説明される。図６において、モデム取付金具１は、ブックシェルフ形状の電子装置２に、接続装置であるモデム３を接続するときに、モデム３を電子装置２に取り付けるためのものである。
【０００３】
モデム取付金具１は、板金加工により一体成形されており、１対の対抗する面を有するように形成されている。さらに取付金具１は、矢印Ｘ方向に対して、断面がコの字形状の両先端部がさらに内側に曲げられた形状である。モデム３が電子装置２に搭載されるときには、モデム３は電子装置に固定された取付金具１に対して、矢印Ｘ方向に挿入される。
【０００４】
実際のモデム２は、電子装置２に接続するための接続端子や電源コンセント、モジュラーケーブルを介して電話回線等の外部の通信回線に接続するためのモジュラージャックを有するが、ここでは便宜上省略されている。
【０００５】
また、接続装置の取付構造には、下記特許文献「１０−１３０７９号公報」に記載されるようなモデム取付構造がある。この特許文献には、モデムがテレビジョン受像機などの電子機器に外付けのままであっても、電子機器との間での電磁的な障害を除去できるモデム取付構造が記載されている。
【特許文献１】特開平１０−１３０７９号公報
【発明の開示】
【発明が解決しようとする課題】
【０００６】
しかしながら、従来のモデム等の接続装置の取付構造では、モデムの製造中止や仕様変更でモデムを変更することによりモデムの外形が変わってしまうため、これに対応して取付金具も変更する必要があった。また、あらゆる形状のモデムに対して電子装置の互換性があるわけではないので、電子装置毎に対応した形状のモデム以外搭載することができなかった。さらに既出荷品の装置で既に製造中止となったモデムが故障した場合、他の形状のモデムを搭載しなければならないので、電子装置毎の交換が必要であったり、電子装置の大幅な改造が必要であった。
【０００７】
よって、本発明では接続装置の取付構造において、あらゆる形状のモデム等の接続装置を電子装置に取り付けることが可能である接続装置の取付構造を提供することを目的とする。
【課題を解決するための手段】
【０００８】
かかる課題を解決するため、本発明による第１の接続装置の取付構造は、外部の通信回線に電子装置を接続させる接続装置の取付構造において、１対の対抗する面を有する板状の取付本体部と、１対の対抗する面の各面から突出する弾性の保持部と、１対の対抗する面の各面から突出する弾性の抜け止め部と、取付本体部に設けられる過挿入防止部とを備える取付部を有し、電子装置に固定された取付部に接続装置を挿入した状態で外部の通信回線に電子装置を接続することを特徴とする。
【０００９】
また、本発明による第２の接続装置の取付構造は、第１の接続装置の取付構造において、さらに、一端は前記抜け止め部に固定され、多端は抜け止め部が形成される取付本体部の同一面に形成される保持部の内側に突出して形成された連動部材を有することを特徴とする。
【発明の効果】
【００１０】
発明の効果として、本発明の接続装置の取付構造によれば、外部の通信回線に電子装置を接続させる接続装置の取付構造において、１対の対抗する面を有する板状の取付本体部と、１対の対抗する面の各面から突出する弾性の保持部と、１対の対抗する面の各面から突出する弾性の抜け止め部と、取付本体部に設けられる過挿入防止部とを備える取付部を有し、電子装置に固定された取付部に接続装置を挿入した状態で外部の通信回線に電子装置を接続することにより、電子装置の変更を不要とし、あらゆる形状の接続装置を容易に電子装置に取り付けることが可能となる。そして、モデムが交換されるなどの保守時において、互換性があるためモデムの種類を区分けする必要がなく、交換時のコストや交換時間を大幅に削減できる。
【発明を実施するための最良の形態】
【００１１】
本発明による接続装置の取付構造の実施例は、添付図面を参照して詳細に説明される。
【実施例１】
【００１２】
以下、本発明による接続装置の取付構造の実施例１は、図１〜図３を用いて説明される。図１は本発明の取付金具の構成を示す斜視図である。図２は本発明のモデムの挿入動作を示す図である。図３は本発明のモデムの取付状態を示す図である。
【００１３】
まず図１を用いて、本発明による実施例１の接続装置の取付構造に用いられる取付金具が説明される。また、本発明による接続装置は、外部の通信回線に電子装置を接続させる接続装置であればよいが、ここではモデムを例にして説明される。さらに電子装置２は従来のもと同様であるので説明は省略される。
【００１４】
図１においてモデム取付金具１０は、取付本体部１１、保持部１２、抜け止め部１３、過挿入防止部１４から構成される。モデム取付金具１０は材質を金属としており、板金加工により一体成形される。
【００１５】
取付本体部１１は１対の対抗する面と、その１対の対向する面の両面に隣接する面とを有しており、所定方向の断面形状がコの字形状である。取付本体部１１の内側は、モデム３が挿入されるために、モデム３の外形よりも大きく形成されている。
【００１６】
保持部１２は、弾性を有しており、取付本体部１１の１対の対向する面から、それぞれ互いの面の方向に突出するように折り曲げられている。２つの保持部１２は同一の形状である。また、保持部１２の先端部はモデム取付金具１０の内側方向に４５度折り曲げられ、さらにその先端部の４５度折り曲げられた部分は、モデム取付金具１０の外側方向に９０度折り曲げられる。このように折り曲げられることによって、モデム３をモデム取付金具１０に挿入する際に、保持部１２をモデム取付金具１０の外側に指で引っ張らせるためのツマミ部分が形成されることになり、モデムの挿入を補助する際のガイド機構の機能を有する接触部分が形成される。
【００１７】
そして保持部１２は、保持部１２の中間部分が切り抜かれている。この保持部１２の中間部分が切り抜かれる量によって、保持力を調整することが可能である。保持部１２はこの弾性によりモデム３を保持するので、モデムとの接触部分についてはモデム３を保持できる程度の幅を有することが望ましい。
【００１８】
抜け止め部１３は、弾性を有し、所定方向の断面形状を保持部１２と同様の形状としている。このように、抜け止め部１３と保持部１２とが同様の断面形状であれば、板金加工が簡素化される。抜け止め部１３は、モデム取付金具１０にモデム３が挿入された際に、モデム３がモデム取付金具１０から抜けるのを防止するためのものである。抜け止め部１３は、保持部１２と分離して設けられている。抜け止め部１３は、モデム３挿入方向に対する過挿入防止部１４からの距離が、モデム３挿入方向に対するモデム３の長さよりも大きい寸法となっている。２つの抜け止め部１３は同一の形状である。
【００１９】
保持部１２及び抜け止め部１３は、図１において上下対称に設けられている。
【００２０】
過挿入防止部１４は、取付本体部１１の１対の対向する面の両面に隣接する面に設けられる。過挿入防止部１４は、モデム３がモデム取付金具１０に挿入されたときに、過度の挿入を防止するためのものである。過挿入防止部１４は、取付本体部１１の内側に折り曲げられるように形成されている。
【００２１】
取付本体部１１の１対の対向する面の両面に隣接する面と、保持部１２及び抜け止め部１３との間のモデム３が挿入される幅は、モデム３の幅以下に設定されている。
【００２２】
次に、図２及び図３を用いて、モデム取付金具１０を用いたモデムの電子装置への取付動作が説明される。図２は本発明のモデムの挿入動作を示す図である。図３は本発明のモデムの取付状態を示す図である。
【００２３】
図２において、モデム３がモデム取付金具１０に対して矢印Ｘ方向に挿入される。このとき、まず抜け止め部１３のツマミ部分が取り付け者の指でモデム取付金具１０の外側に引っ張られ、モデム３が挿入される。そしてモデム３のモデム挿入方向に対する先頭部分が挿入されたら、取り付け者が指をツマミから離し、抜け止め部１３が弾性力により元に戻ろうとし一旦モデム３保持することになる。
【００２４】
その後、抜け止め部１３と同様に、保持部１２が取り付け者の指でモデム取付金具１０の外側に引っ張られ、さらにモデム３が挿入される。そしてモデム３のモデム挿入方向に対する先頭部分が保持部１２まで挿入されたら、取り付け者が指をツマミから離し、保持部１２が弾性力により元に戻ろうとしモデムを保持することになる。このとき、保持部１２及び抜け止め部１３のモデム３との接触部分がガイド機構の機能を果たすので、モデム３は容易に挿入される。
【００２５】
図３において、モデム３が抜け止め部１３と非接触状態となるまで挿入されると、抜け止め部１３が弾性力により元に戻ろうとし、抜け止め部１３はモデム３が挿入方向と逆の方向へ抜けるのを防止する。また、モデム取付金具１０には過挿入防止部１４が形成されているので、モデム３がモデム取付金具１０に対して過度に挿入されるのを防止することができる。
【００２６】
実際のモデム３は、電子装置２に接続するための接続端子や電源コンセント、モジュラーケーブルを介して電話回線等の外部の通信回線に接続するためのモジュラージャックを有するが、ここでは便宜上省略されている。また、図示はされないが、モデム取付金具１０は、モデム３が有する接続端子や接続コンセントが電子装置２の接続部に対して接続可能な位置に固定され、モデム３が挿入される。モデム取付金具１０は、電子装置２に溶接により固定される。また、モデム取付金具１０は、電子装置２にネジ止め、リベット止め等で固定されてもよい。モデム取付金具１０が電子装置２にネジ止めやリベット止めで固定される場合、モデム３が有する接続端子や接続コンセントが電子装置２の接続部に対して接続するときに、接続が妨害されない位置にネジ止めやリベット止めがなされる。
【００２７】
以上、本発明のように、１対の対向する面を有する板状の取付本体部１１と、当該１対の対向する面の各面から突出する弾性の保持部１２と、当該1対の対向する面の各面から突出する弾性の抜け止め部１３と、取付本体部１１に形成される過挿入防止部１４とを備えるモデム取付金具部１０を用いて、モデム３を電子装置２に取り付けることにより、モデム３の形状によらず、モデム３を電子装置２に取り付けることが可能となる。
【実施例２】
【００２８】
以下、本発明による接続装置の取付構造の実施例２は、図４及び図５を用いて説明される。図４は本発明の第２の取付金具の構成を示す斜視図である。図５は連動部材の利用形態の詳細を示す図である。
【００２９】
図４を用いて、本発明による実施例２の接続装置の取付構造に用いられる取付金具が説明される。また図４において、図１と同様な部分については、同様の符号が付けられ、説明も省略される。
【００３０】
モデム取付金具１０は、実施例１と同様であるが、実施例２ではモデム取付金具１０の抜け止め部１３と保持部１２とを連動させるために設けられた連動部材１５が特徴である。連動部材１５は、取付本体部１１の１対の対向する面のそれぞれの面に形成された保持部１２と抜け止め部１３とを連動させる。２つの連動部材は同一の形状である。
【００３１】
図５において、連動部材１５の利用形態が詳細に説明される。連動部材１５は断面略Ｚ字型の段付きの形状をしており板金加工により形成される。
【００３２】
連動部材１５の一端は抜け止め部の外側に溶接やネジ止めすることにより固定される。連動部材１５の他端は抜け止め部１３が形成される取付本体部の同一面に形成される保持部１２の内側に潜り込ませるように突出して形成される。また連動部材１５は、平板状の金属部材でもよく、その場合は連動部材１５の一端は抜け止め部１３の内側に固定される。
【００３３】
実施例１で、本発明のモデムの挿入動作が示されたように、モデム３が挿入される際に、抜け止め部１３のツマミ部分が取り付け者の指でモデム取付金具１０の外側に引っ張られ、モデム３が挿入される。このとき、抜け止め部１３のツマミ部分が外側に引っ張られ、抜け止め部１３が持ち上げられると、抜け止め部１３に固定された連動部材の他端が保持部１２を同期して持ち上げる。
【００３４】
このように、抜け止め部１３及び保持部１２が同時にモデム取付金具１０の外側に引っ張られるので、モデムの挿入動作が簡素化される。つまり、モデム３が挿入される際に、実施例１では抜け止め部１３が持ち上げられた後にモデム３の先頭部分が挿入され、さらに保持部１２が持ち上げられてから、最後までモデム３が挿入されていたが、実施例２では抜け止め部１３が持ち上げられるだけで、保持部１２も連動して持ち上げられるので、挿入動作が簡単となる。
【図面の簡単な説明】
【００３５】
【図１】本発明の取付金具の構成を示す斜視図
【図２】本発明のモデムの挿入動作を示す図
【図３】本発明のモデムの取付状態を示す図
【図４】本発明の第２の取付金具の構成を示す斜視図
【図５】本発明の連動部材の利用形態の詳細を示す図
【図６】従来のモデムの取付構造を示す図
【符号の説明】
【００３６】
２…電子装置、３…モデム、１０…モデム取付金具、１１…取付本体部、１２…保持部、１３…抜け止め部、１４…過挿入防止部、１５…連結部材
【図１】
2006269929.tif 000003
【図２】
2006269929.tif 000004
【図３】
2006269929.tif 000005
【図４】
2006269929.tif 000006
【図５】
2006269929.tif 000007
【図６】
2006269929.tif 000008